(57)【要約】【課題】簡単な操作で、あるいはコストのかからない単純な構造で、給紙カセットの外装部に用紙のサイズおよび／または種類を表示する。【解決手段】用紙を収容する給紙カセットに貼付され収容された用紙のサイズおよび／または種類を表示するために用いられる部材であって、用紙サイズおよび／または種類がおもて面に記され、裏面の一部に粘着剤が塗布された貼付部を有する複数のシートを備え、その複数のシートは、互いの貼付部とおもて面とが重ね合わされて貼付部の粘着性により一体化され、１枚のシートをその複数のシートから分離して前記給紙カセットに貼付できることを特徴とする収容用紙表示部材。【選択図】図１
2007182285.tif 000002
【特許請求の範囲】
【請求項１】
用紙を収容する給紙カセットに貼付され収容された用紙のサイズおよび／または種類を表示するために用いられる部材であって、
用紙サイズおよび／または種類がおもて面に記され、裏面の一部に粘着剤が塗布された貼付部を有する複数のシートを備え、
その複数のシートは、互いの貼付部とおもて面とが重ね合わされて貼付部の粘着性により一体化され、
１枚のシートをその複数のシートから分離して前記給紙カセットに貼付できることを特徴とする収容用紙表示部材。
【請求項２】
画像形成装置の給紙部に装着され、装着された状態で装置外部から視認される外装部を有し、
前記外装部が、請求項１記載の収容用紙表示部材を貼付する貼付領域を有する給紙カセット。
【発明の詳細な説明】
【技術分野】
【０００１】
この発明は、給紙カセットに収容された用紙のサイズおよび／または種類を表示する収容用紙表示部材およびそれが貼付される給紙カセットに関する。
【背景技術】
【０００２】
画像形成装置は、多種の用紙サイズや用紙種類に対応できるように、装置に標準装備される給紙カセットの他にも、オプションとして給紙カセットを追加が可能なものがある。近年の画像形成装置は、装置の占有面積をコンパクトにする目的から、印字処理部の下方に引き出し式の給紙カセットを積み重ねるように配置した、いわゆる「フロントアクセス機構」及び「ビルトアップ手法」のものが多用されている。このような装置においては、各給紙セットから給紙された印字用紙を印字処理部まで搬送する用紙搬送路が垂直方向に配置され、用紙搬送路に沿う上下の方向に各給紙カセットが配置されるようになっている。
【０００３】
追加される給紙カセットは、ユーザの必要に応じて、収容する用紙サイズを変更できるもの（ユニバーサルカセット）が多い。前述のように、ユーザによって、使用する用紙のサイズが多岐に渡るからである。ユーザは、使用する用紙のサイズおよび／または種類の数に応じて必要数のユニバーサルカセットを画像形成装置に装着する。装置に標準装備されている給紙カセットだけでは数が不足する場合、オプションのユニバーサルカセットを追加取得し、空いているスロットに装着する。装着されたユニバーサルカセットは、その外観が同一であるため互いの区別が付かない。機種によっては、標準装備されている給紙カセットとも外観の区別がつかないものがある。
【０００４】
このように、外観が同一の複数の給紙カセットが装置に装着されて使用される場合、例えば、給紙カセットに用紙を補給するために、ユーザが各給紙カセットに収容された用紙のサイズや種類を識別できるようにする必要がある。
【０００５】
これを実現する手法の一つとして、用紙サイズの情報カードを折り曲げて、必要部分を表面にして、給紙カセットのサイズ表示窓に配置する事で給紙カセットのサイズ表示を行うものが知られている（例えば、特許文献１参照）。
【特許文献１】特許第３６６１６７２号公報
【発明の開示】
【発明が解決しようとする課題】
【０００６】
各給紙カセットへのサイズおよび／または種類の割り当ては、ユーザによって行われる。従って、割り当てられたサイズおよび／または種類を各給紙カセットの外装部に表示する作業は、ユーザが行うことになる。
【０００７】
ところで、各給紙カセットに割り当てられる用紙のサイズおよび／または種類は、ユーザが頻繁に使用するサイズおよび／または種類であるため、その割り当てを頻繁に変更するとは考えにくい。特に、ユーザが必要に応じて給紙カセットを追加装着した場合は、そのことがいえる。画像形成装置には、給紙カセットの他にも手差しトレイを備えるものが多い。特に、手差しトレイのある装置では、稀に使用されるサイズおよび／または種類の用紙については、手差しトレイが使用されるものと考えられる。従って、表示を変更する場合の操作性、利便性に配慮するよりは、むしろカセットを装着した後の初期に割り当てられたサイズおよび／または種類を表示する際の操作性、利便性あるいはコストを重視する方が妥当である。
【０００８】
この発明は、以上に述べたような事情を考慮してなされたものであって、簡単な操作で、あるいはコストのかからない単純な構造で、給紙カセットの外装部に用紙のサイズおよび／または種類を表示するための部材と当該部材が装着される給紙カセットとを提供するものである。
【課題を解決するための手段】
【０００９】
この発明は、用紙を収容する給紙カセットに貼付され収容された用紙のサイズおよび／または種類を表示するために用いられる部材であって、用紙サイズおよび／または種類がおもて面に記され、裏面の一部に粘着剤が塗布された貼付部を有する複数のシートを備え、
その複数のシートは、互いの貼付部とおもて面とが重ね合わされて貼付部の粘着性により一体化され、１枚のシートをその複数のシートから分離して前記給紙カセットに貼付できることを特徴とする収容用紙表示部材を提供する。
【００１０】
また、この発明は、画像形成装置の給紙部に装着され、装着された状態で装置外部から視認される外装部を有し、前記外装部が、前記収容用紙表示部材を貼付する貼付領域を有する給紙カセットを提供する。
【発明の効果】
【００１１】
この発明の収容用紙表示部材は、用紙サイズおよび／または種類がおもて面に記され、裏面の一部に粘着剤が塗布された貼付部を有する複数のシートを備え、
その複数のシートは、互いの貼付部とおもて面とが重ね合わされて貼付部の粘着性により一体化され、１枚のシートをその複数のシートから分離して前記給紙カセットに貼付できることを特徴とするので、表示すべき各サイズおよび／または種類が記されたシートを一体にしてユーザに提供することができる。ユーザが、当該部材を使用してサイズおよび／または種類を表示する場合は、そのサイズおよび／または種類が記された面を露出させるように他のシートを分離し、さらにそのサイズおよび／または種類が記された面を有するシートの貼付部を露出させるように他のシートを分離した後、給紙カセットの外装部に貼付するという簡単な操作をするだけでよい。このような簡単な操作により、ユーザの手を煩わせずに給紙カセットの用紙のサイズおよび／または種類の表示が可能である。あるいはコストのかからない単純な構造の表示部材および給紙カセットの外装部によって用紙のサイズおよび／または種類の表示を可能とする。
【００１２】
前記貼付部は、それに対向するおもて面を汚損させずに前記おもて面を有するシートから分離でき、かつ分離後に当該貼付部を有するシートを前記給紙カセットの外装部に固定できるような粘着性を有する粘着剤が塗布されてなるものであってもよい。このような粘着剤としては、いわゆる再剥離タイプのシールやステッカーなどに用いられている公知のものを適用することができる。
【発明を実施するための最良の形態】
【００１３】
以下、図面を用いてこの発明をさらに詳述する。以下の説明により、この発明をよりよく理解することが可能であろう。なお、以下の説明は、すべての点で例示であって、限定的なものではないと考えられるべきである。
【００１４】
図１は、この発明に係る収容用紙表示部材が備える複数のシートのおもて面を示す説明図である。図１で、各シートのおもて面には、用紙サイズが記されている。シート１ａの表面には、用紙サイズとして「Ａ４横」と記され、シート１ｂのおもて面には、「Ｂ４」、シート１ｃの表面には「ハガキ」、シート１ｄの表面には「Ａ４縦」、シート１ｅの表面には「Ｂ５」、シート１ｆの表面には「Ａ３」とそれぞれ用紙サイズが記されている。シートの材質は、紙であってもよいが、例えば、ポリ・エチレン・テレフタレイトなどの樹脂であってもよい。
【００１５】
図２は、図１の各シートの裏面に設けられる貼付部の様子を示す説明図である。図２では、シート１ｃを代表としているが、他のシートも同様である。図２に示すように、貼付部３には、上端部に粘着剤が塗布されている。
図３は、図１および図２に示す各シート１ａ〜１ｆを図１に図示しない台紙上に重ねてなる収容用紙表示部材を示す斜視図である。図３に示すように、収容用紙表示部材１の最上面は、「Ａ４横」が記されたシート１ａである。最下面は、台紙であり、両者の間にシート１ｂ〜１ｆが重ねられている。各シート１ａ〜１ｆと台紙とは、貼付部３の粘着性によって一体になっている。
【００１６】
ユニバーサルカセットには、図３の収容用紙表示部材１が同梱される。ユーザは、ユニバーサルカセットに収容する用紙のサイズおよび／または種類を決定し、画像形成装置本体に装着する。
そして、ユーザは、収容用紙表示部材１のうち、決定したサイズおよび／または種類が記されたシートのおもて面側に重ねられた不要なシートをはがして、前記サイズおよび／または種類を露出させる。勿論、決定したサイズおよび／または種類が収容用紙表示部材１の最上面のシートである場合は、不要なシートをはがす必要はない。さらに、決定したサイズおよび／または種類が記されたシートの裏面側に重ねられた不要なシートをはがして裏面の貼付部を露出させる。そして、ユーザは、露出させた貼付部をユニバーサルカセットの外装部に貼り付けて前記サイズおよび／または種類を表示させる。
【００１７】
ここで、複数のユニバーサルカセットが追加装着され、各カセットに異なるサイズおよび／または種類の用紙が収容される場合、一つの収容用紙表示部材に含まれるシートを各カセットの外装部に貼り付けてもよい。このようにすれば、使用されずに廃棄されるシートの枚数を減らすことができる。これは、例えば複数段の給紙カセットが収容される周辺装置（給紙デスクと呼ばれる）に適用することができる。
【００１８】
また、前述の説明においては、外装部に貼り付けられるシートは一枚だけであるが、使用の態様としてはこれに限定されるものではない。ユーザは、決定したサイズおよび／または種類が記されたシートのおもて面側に重ねられた不要なシートをはがして、前記サイズおよび／または種類を露出させ、さらに、最下面の台紙をそれに重ねられたシートからはがして、台紙と重ねられていたシートの貼付部をカセットの外装部に貼り付けてもよい。この場合は、複数枚のシートが重なった状態で外装部に貼り付けられる。
【００１９】
またさらに、ユーザは、決定したサイズおよび／または種類が記されたシートのおもて面側に重ねられた不要なシートをはがして、前記サイズおよび／または種類を露出させ、さらに、最下面の台紙をそれに重ねられたシートからはがし、台紙から剥がされた貼付部に、既に剥がされた不要なシートの表面を重ねて貼り合わせ、貼り合わされた複数枚のシートをカセットの外装部に貼り付けてもよい。このようにすれば、給紙カセットのサイズおよび／または種類が将来変更される際にも、外装部に貼り付けられたシートを用いることができる。
【００２０】
図４は、この発明の収容用紙表示部材が貼り付けられる給紙カセットの概観を示す斜視図である。図４に示すように、給紙カセット１１は、矢印Ａの方向へスライド可能なようにガイドレール１５を有し、図示しない本体の装着部に装着される。カセット１１の手前側には、外装１３が取り付けられている。給紙カセット１１が本体に収容された状態で、外装１３の手前側が露出する。
【００２１】
外装１３の材質の一例は、ＡＢＳ樹脂である。ＡＢＳ樹脂の表面は意匠的な価値を高めるために細かな凹凸を有する。即ち、いわゆるシボ仕上げがされている。そして、収容用紙表示部材１を貼り付ける貼付領域１７は、シボを形成せず滑らかな表面を有し、収容用紙表示部材１を貼り付けたときに強い粘着力が得られるようになっている。
本願発明によれば、収容用紙表示部材１を外装１３に固定するために複雑な構造や形状を必要とせず、コスト的にも有利である。
【００２２】
図５は、この発明に係る給紙カセットが装着される画像形成装置２５の外観を示す説明図である。図５に示すように、複数の給紙カセット１１が、印字処理部２１の下方に、上下に重なるように配置される。ここで、印字処理部２１は、印字すべき画像を形成し、給紙カセット１１から給紙された用紙に形成した画像を転写して排紙トレイ２３上に排出する部分である。
【００２３】
最後に、前述した実施の形態の他にも、この発明について種々の変形例があり得ることは明らかである。そのような変形例は、この発明の特徴及び範囲に属さないと解釈されるべきものではない。本発明の範囲には、特許請求の範囲と均等の意味および範囲内でのすべての変更とが含まれることが意図される。
【図面の簡単な説明】
【００２４】
【図１】この発明に係る収容用紙表示部材が備える複数のシートのおもて面を示す説明図である。
【図２】図１の各シートの裏面に設けられる貼付部の様子を示す説明図である。
【図３】図１および図２に示す各シート１ａ〜１ｆを台紙上に重ねてなる収容用紙表示部材を示す斜視図である。
【図４】この発明の収容用紙表示部材が貼り付けられる給紙カセットの外装部を模式的に示す斜視図である。
【図５】この発明に係る給紙カセットが装着される画像形成装置の外観を示す説明図である。
【符号の説明】
【００２５】
１    収容用紙表示部材
１ａ、１ｂ、１ｃ、１ｄ、１ｅ、１ｆ  シート
３    貼付部
１１    給紙カセット
１３    外装
１５    ガイドレール
１７    貼付領域
２１    印字処理部
２３    排紙トレイ
２５    画像形成装置
【図１】
2007182285.tif 000003
【図２】
2007182285.tif 000004
【図３】
2007182285.tif 000005
【図４】
2007182285.tif 000006
【図５】
2007182285.tif 000007